(57)【要約】【課題】  本発明は、本体装置と関連装置とを音声信号ケーブルのみで接続し、関連装置の電源のＯＮ／ＯＦＦを制御する電源制御信号を音声信号に重畳しても、電源制御信号のスピーカからの出力を抑止することができるリモートコントロールシステムを提供することを課題とする。【解決手段】  本体電源スイッチ１４が切断されると、定電流回路１６からの電流の供給を停止させる。定電流回路１６からの電流の供給が停止されると、コンデンサ１７から放電が行われるため、音声信号に重畳される電源制御信号は、立ち下がり時間Ｔ’をかけて徐々にＬｏｗレベルに立ち下がり、所定の電位に到達した段階でスイッチ回路２８がＯＦＦされて関連装置２０の電源がＯＦＦされる。電源制御信号の立ち下がりの周波数は、再生周波数未満に制御され、電源制御信号の立ち下がりがスピーカ２５からの出力に影響を与えることがない。【選択図】        図１
2006013974.tif 000002
【特許請求の範囲】
【請求項１】
音声信号を伝送する音声信号ケーブルのみで本体装置と関連装置とを接続し、前記本体装置の電源のＯＮ／ＯＦＦに連動して前記関連装置の電源をＯＮ／ＯＦＦさせるリモートコントロールシステムであって、
前記関連装置の電源のＯＮ／ＯＦＦを制御する前記電源制御信号の立ち上がりおよび立ち下がりを再生周波数未満の周波数に制御する波形制御手段を具備し、
該波形制御手段によって波形が制御された前記電源制御信号を前記音声信号に重畳することによって前記関連装置の電源のＯＮ／ＯＦＦを制御させることを特徴とするリモートコントロールシステム。
【請求項２】
前記波形制御手段は、前記電源制御信号の立ち上がり時間および立ち下がり時間が０．５ｓよりも長くなるように制御することを特徴とする請求項１記載のリモートコントロールシステム。
【請求項３】
前記関連装置は、前記音声信号の低域をカットする高域通過フィルタを具備し、
前記波形制御手段は、前記電源制御信号の立ち上がりおよび立ち下がりの周波数を前記高域通過フィルタの遮断周波数未満になるように制御することを特徴とする請求項１又は２記載のリモートコントロールシステム。
【発明の詳細な説明】
【技術分野】
【０００１】
本発明は、本体装置の電源のＯＮ／ＯＦＦに連動して関連装置の電源をＯＮ／ＯＦＦさせるリモートコントロールシステムに関し、特に本体装置から関連装置にオーディオ信号を供給する信号ケーブルに電源制御信号を重畳させ、本体装置から関連装置の電源のＯＮ／ＯＦＦを制御するリモートコントロールシステムに関する。
【背景技術】
【０００２】
従来、外部から音声信号を入力し、入力された音声信号を増幅部で増幅し、スピーカで増幅した音声信号を拡声するスピーカシステムにおいて、入力された電源制御信号に基づいて増幅部の電源のＯＮ／ＯＦＦを制御することにより、スピーカから出力される音声出力を外部から制御し、外部からの制御による自由な音声信号の出力制御を行うことができるスピーカシステムが提案されている（例えば、特許文献１参照）。
【０００３】
図４は、従来のリモートコントロールシステムの構成を示す回路図であり、図５は、従来のリモートコントロールシステムにおける電源制御信号の波形図である。
従来のスピーカシステムを、音声信号を供給するディスク再生装置等の本体装置４０における電源のＯＮ／ＯＦＦに連動させて、ウーファ等の関連装置５０の電源をＯＮ／ＯＦＦさせるリモートコントロールシステムに適用した場合には、図４に示すように、本体装置４０と関連装置５０とを音声信号ケーブル６０および制御信号ケーブル７０で接続し、本体装置４０から出力される音声信号を音声信号ケーブル６０によって関連装置５０に供給すると共に、関連装置５０の電源のＯＮ／ＯＦＦを制御する電源制御信号を制御信号ケーブル７０によって関連装置５０に供給するように構成される。
【０００４】
本体電源スイッチ４３が投入されると、本体装置４０の電源がＯＮされ、本体側アンプ４１で増幅された音声信号が直流成分カット用のコンデンサ４２を介して出力されると共に、電源制御部４４は、本体電源スイッチが投入されてから、本体装置４０から出力される音声信号が安定する所定時間後に電源制御信号をＨｉレベルに立ち上げる。電源制御信号をＨｉレベルに立ち上がると、スイッチ回路５７がＯＮされて電源入力部５６から入力される電源がトランス５５から関連装置側アンプ５１に供給されて関連装置５０の電源がＯＮされ、音声信号ケーブル６０を介して入力された音声信号がコンデンサ５２および抵抗５３とからなる高域通過フィルタを経て関連装置側アンプ５１に入力され、スピーカ５４によって関連装置側アンプ５１で増幅された音声信号が拡声される。
【０００５】
次に、本体電源スイッチ４３が切断されると、電源制御部４４は、電源制御信号をＬｏｗレベルに立ち下げる。電源制御信号をＬｏｗレベルに立ち下げると、スイッチ回路５７がＯＦＦされて関連装置５０の電源がＯＦＦされ、音声信号の拡声が停止されると共に、本体電源スイッチ４３の切断から所定時間後に本体装置４０の電源がＯＦＦされる。
【０００６】
しかしながら、従来技術では、本体装置４０と関連装置５０とを音声信号ケーブル６０および制御信号ケーブル７０の２本のケーブルで接続する必要があり、配線が煩雑になると共に、美観上も好ましくないものであった。また、本体装置４０と関連装置５０とを音声信号ケーブル６０のみで接続し、電源制御信号を音声信号に重畳することも考えられるが、電源制御信号を音声信号に重畳した場合には、関連装置５０の電源がＯＮ状態の時に電源制御信号の立ち下がることになり、電源制御信号の立ち下がりがスピーカ５４からノイズ音として出力されてしまうという問題点があった。
【特許文献１】特開２００４−１０４６４９号公報
【発明の開示】
【発明が解決しようとする課題】
【０００７】
本発明は斯かる問題点を鑑みてなされたものであり、その目的とするところは、本体装置と関連装置とを音声信号ケーブルのみで接続し、関連装置の電源のＯＮ／ＯＦＦを制御する電源制御信号を音声信号に重畳しても、電源制御信号のスピーカからの出力を抑止することができるリモートコントロールシステムを提供する点にある。
【課題を解決するための手段】
【０００８】
本発明は上記課題を解決すべく、以下に掲げる構成とした。
本発明のリモートコントロールシステムは、音声信号を伝送する音声信号ケーブルのみで本体装置と関連装置とを接続し、前記本体装置の電源のＯＮ／ＯＦＦに連動して前記関連装置の電源をＯＮ／ＯＦＦさせるリモートコントロールシステムであって、前記関連装置の電源のＯＮ／ＯＦＦを制御する前記電源制御信号の立ち上がりおよび立ち下がりを再生周波数未満の周波数に制御する波形制御手段を具備し、該波形制御手段によって波形が制御された前記電源制御信号を前記音声信号に重畳することによって前記関連装置の電源のＯＮ／ＯＦＦを制御させることを特徴とする。
【０００９】
さらに、本発明のリモートコントロールシステムは、
前記波形制御手段は、前記電源制御信号の立ち上がり時間および立ち下がり時間が０．５ｓよりも長くなるように制御することを特徴とする。
【００１０】
さらに、本発明のリモートコントロールシステムは、前記関連装置は、前記音声信号の低域をカットする高域通過フィルタを具備し、前記波形制御手段は、前記電源制御信号の立ち上がりおよび立ち下がりの周波数を前記高域通過フィルタの遮断周波数未満になるように制御することを特徴とする請求項１又は２記載のリモートコントロールシステム。
【発明の効果】
【００１１】
本発明のリモートコントロールシステムは、波形制御手段によって音声信号に重畳する電源制御信号の立ち上がり時間と立ち下がり時間とを制御し、電源制御信号の立ち上がりおよび立ち下がりを可聴帯域未満の周波数にすることにより、本体装置と関連装置とを音声信号ケーブルのみで接続し、関連装置の電源のＯＮ／ＯＦＦを制御する電源制御信号を音声信号に重畳しても、電源制御信号のスピーカからの出力を抑止することができるという効果を奏する。
【発明を実施するための最良の形態】
【００１２】
以下、本発明の実施の形態を図面に基づいて詳細に説明する。
【００１３】
図１は、本発明に係るリモートコントロールシステムの実施の形態の構成を示す回路図であり、図２は、本発明に係るリモートコントロールシステムの実施の形態における電源制御信号の波形図である。
【００１４】
本実施の形態のリモートコントロールシステムは、図１を参照すると、音声信号を供給するディスク再生装置等の本体装置１０と、サブウーハ等の関連装置２０とが音声信号を伝送する音声信号ケーブル３０のみによって接続されており、関連装置２０の電源のＯＮ／ＯＦＦを制御する電源制御信号が音声信号に重畳され、音声信号ケーブル３０によって伝送される構成となっている。
【００１５】
本体装置１０は、図示しないディスク再生機構等によって再生された音声信号を増幅する本体側アンプ１１と、音声信号ケーブル３０が接続される信号出力端子１２と、一方端が本体側アンプ１１の出力端に接続されていると共に、他方端が信号出力端子１２に接続された直流成分カット用のコンデンサ１３と、本体装置１０の電源のＯＮ／ＯＦＦを操作する本体電源スイッチ１４と、本体電源スイッチ１４の操作に応じて電源制御信号のレベルを指示する電源制御部１５と、電源制御部１５の指示に応じて一定の電流を供給する定電流回路１６と、一方端が定電流回路１６の出力端に接続されていると共に、他方端が接地されているコンデンサ１７と、一方端が定電流回路１６の出力端およびコンデンサ１７の相互接続点に接続されていると共に、他方端がコンデンサ１３および信号出力端子１２の相互接続点に接続された抵抗１８とからなる。
【００１６】
関連装置２０は、音声信号ケーブル３０が接続される信号入力端子２１と、入力された音声信号を増幅する関連装置側アンプ２２と、一方端が信号入力端子２１に接続されていると共に、他方端が関連装置側アンプ２２の入力端に接続されたコンデンサ２３と、一方端がコンデンサ２３および関連装置側アンプ２２の入力端の相互接続点に接続されていると共に、他方端が接地されている抵抗２４と、関連装置側アンプ２２の出力端に接続され、関連装置側アンプ２２で増幅された音声信号を出力するスピーカ２５と、外部からの交流電源が入力される電源入力部２６と、電源入力部２６から入力された交流電源を変換するトランス２７と、信号入力端子２１およびコンデンサ２３の相互接続点に接続され、電源制御信号に応じて電源をＯＮ／ＯＦＦするリレー回路２８とからなる。
【００１７】
本体電源スイッチ１４が投入されると、本体装置１０の電源がＯＮされ、本体側アンプ１１で増幅された音声信号が直流成分カット用のコンデンサ１３を介して信号出力端子１２から出力されると共に、電源制御部１５は、電源制御信号をＨｉレベルするように定電流回路１６に指示し、定電流回路１６から一定の電流を供給させる。定電流回路１６から一定の電流の供給が開始されると、コンデンサ１７に充電が行われるため、音声信号に重畳される電源制御信号は、図２に示すように、立ち上がり時間Ｔをかけて徐々にＨｉレベルに立ち上がる。電源制御信号の立ち上がり時間Ｔは、定電流回路１６から供給される電流の値と、コンデンサ１７の容量および抵抗１８の抵抗値とで定まり、コンデンサ１７および抵抗１８は、電源制御信号の立ち上がり時間を制御する波形制御手段として機能する。
【００１８】
そして電源制御信号が所定の電位に到達した段階でスイッチ回路２８がＯＮされて電源入力部２６から入力される電源がトランス２７から関連装置側アンプ２２に供給されて関連装置２０の電源がＯＮされ、音声信号ケーブル３０を介して入力された音声信号がコンデンサ２３および抵抗２４とからなる高域通過フィルタを経て関連装置側アンプ２２に入力され、スピーカ２５によって関連装置側アンプ２２で増幅された音声信号が拡声される。
【００１９】
なお、立ち上がり時間Ｔは、０．５ｓよりも長くなるように、定電流回路１６から供給される電流の値と、コンデンサ１７の容量および抵抗１８の抵抗値とが設定されており、１／ＴがＣＤやスーパーオーディオＣＤの再生周波数の下限である２Ｈｚ未満になり、電源制御信号の立ち上がりがスピーカ２５からの出力に影響を与えることがない。また、１／Ｔをコンデンサ２３および抵抗２４とからなる高域通過フィルタの遮断周波数以下になるように設定して、電源制御信号の立ち上がりに起因するノイズ音を抑止することができる。
【００２０】
次に、本体電源スイッチ１４が切断されると、電源制御部１５は、電源制御信号をＬｏｗレベルするように定電流回路１６に指示し、定電流回路１６からの電流の供給を停止させる。定電流回路１６からの電流の供給が停止されると、コンデンサ１７から放電が行われるため、音声信号に重畳される電源制御信号は、図２に示すように、立ち下がり時間Ｔ’をかけて徐々にＬｏｗレベルに立ち下がり、所定の電位に到達した段階でスイッチ回路２８がＯＦＦされて関連装置２０の電源がＯＦＦされる。電源制御信号の立ち下がり時間Ｔ’は、コンデンサ１７の容量および抵抗１８の抵抗値で定まり、コンデンサ１７および抵抗１８は、電源制御信号の立ち下がり時間を制御する波形制御手段として機能する。
【００２１】
なお、立ち下がり時間Ｔ’は、０．５ｓよりも長く設定されており、１／Ｔ’がＣＤやスーパーオーディオＣＤの再生周波数の下限である２Ｈｚ未満になり、電源制御信号の立ち下がりがスピーカ２５からの出力に影響を与えることがない。また、１／Ｔ’をコンデンサ２３および抵抗２４とからなる高域通過フィルタの遮断周波数以下になるように設定して、電源制御信号の立ち下がりに起因するノイズ音を抑止することができる。
【００２２】
図３は、本発明に係るリモートコントロールシステムの他の実施の形態の構成を示す回路図である。
【００２３】
他の実施の形態では、図３を参照すると、コンデンサ１７および抵抗１８が関連装置２０に設けられており、抵抗１８は、一方端が信号入力端子２１およびコンデンサ２３の相互接続点に、他方端がリレー回路２８にそれぞれ接続されており、コンデンサ１７は、一方端が抵抗１８およびリレー回路２８の相互接続点に、他方端が接地されている。このようにコンデンサ１７および抵抗１８を関連装置２０に設けても、電源制御信号の立ち上がり時間Ｔと立ち下がり時間Ｔ’とを制御する波形制御手段として機能する。
【００２４】
以上説明したように、本実施の形態によれば、波形制御手段（定電流回路１６、コンデンサ１７および抵抗１８）によって音声信号に重畳する電源制御信号の立ち上がり時間Ｔと立ち下がり時間Ｔ’とを制御し、電源制御信号の立ち上がりおよび立ち下がりを可聴帯域未満の周波数にすることにより、本体装置１０と関連装置２０とを音声信号ケーブル３０のみで接続し、関連装置２０の電源のＯＮ／ＯＦＦを制御する電源制御信号を音声信号に重畳しても、電源制御信号のスピーカ２５からの出力を抑止することができるという効果を奏する。
【００２５】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２６】
【図１】本発明に係るリモートコントロールシステムの実施の形態の構成を示す回路図である。
【図２】本発明に係るリモートコントロールシステムの実施の形態における電源制御信号の波形図である。
【図３】本発明に係るリモートコントロールシステムの他の実施の形態の構成を示す回路図である。
【図４】従来のリモートコントロールシステムの構成を示す回路図である。
【図５】従来のリモートコントロールシステムにおける電源制御信号の波形図である。
【符号の説明】
【００２７】
１０  本体装置
１１  本体側アンプ
１２  信号出力端子
１３  コンデンサ
１４  本体電源スイッチ
１５  電源制御部
１６  定電流回路
１７  コンデンサ（波形制御手段）
１８  抵抗（波形制御手段）
２０  関連装置
２１  信号入力端子
２２  関連装置側アンプ
２３  コンデンサ
２４  抵抗
２５スピーカ
２６  電源入力部
２７  トランス
２８  リレー回路
３０  音声信号ケーブル
【図１】
2006013974.tif 000003
【図２】
2006013974.tif 000004
【図３】
2006013974.tif 000005
【図４】
2006013974.tif 000006
【図５】
2006013974.tif 000007